(57)【要約】【課題】木質バイオマスの流通を促進させる木質バイオマスの流通支援装置を提供する。【解決手段】木質バイオマスの流通支援装置は、木質バイオマスの流通を支援するための木質バイオマスの流通支援装置であって、被提供者に提供するために保管されている提供木質バイオマスの保管場所を含む提供木材情報を記憶する提供木材データベースと、提供木質バイオマスの運送目的地を含む検索条件を取得する検索条件取得部と、提供木材データベースを検索条件で検索することにより、検索条件に該当する該当提供木材情報であって、保管場所および運送目的地に基づいて算出される運送距離または運送費用の少なくとも一方である運送見積が対応付けられた検索結果を取得するデータベース情報検索部と、検索結果を含む出力情報を生成する出力情報生成部と、出力情報を出力する出力部と、を備える。【選択図】  図１
2019091112.tif 000002
【特許請求の範囲】
【請求項１】
木質バイオマスの流通を支援するための木質バイオマスの流通支援装置であって、
被提供者に提供するために保管されている提供木質バイオマスの保管場所を含む提供木材情報を記憶する提供木材データベースと、
前記提供木質バイオマスの運送目的地を含む検索条件を取得する検索条件取得部と、
前記提供木材データベースを前記検索条件で検索することにより、前記検索条件に該当する該当提供木材情報であって、前記保管場所および前記運送目的地に基づいて算出される運送距離または運送費用の少なくとも一方である運送見積が対応付けられた検索結果を取得するデータベース情報検索部と、
前記検索結果を含む出力情報を生成する出力情報生成部と、
前記出力情報を出力する出力部と、を備えることを特徴とする木質バイオマスの流通支援装置。
【請求項２】
前記検索条件は、さらに、特定の条件に合致する前記運送見積を抽出するための運送情報抽出条件を含むことを特徴とする請求項１に記載の木質バイオマスの流通支援装置。
【請求項３】
前記提供木材情報は、さらに、前記提供木質バイオマスの原料由来を含み、
前記検索条件は、さらに、前記原料由来で前記提供木材データベースを検索するための条件を含むことを特徴とする請求項１または２に記載の木質バイオマスの流通支援装置。
【請求項４】
前記提供木材情報は、さらに、前記提供木質バイオマスの含水情報を含み、
前記検索条件は、さらに、前記提供木質バイオマスの前記含水情報および要求量で前記提供木材データベースを検索するための条件を含み、
前記検索結果は、さらに、前記該当提供木材情報の前記含水情報および前記要求量に基づいて算出される推定燃料重量を含むことを特徴とする請求項１〜３のいずれか１項に記載の木質バイオマスの流通支援装置。
【請求項５】
前記提供木材データベースに前記提供木材情報を登録するのに用いるユーザインタフェースである登録画面を表示する登録画面表示部と、
前記検索条件取得部が前記検索条件を取得するのに用いるユーザインタフェースである検索画面を表示する検索画面表示部と、をさらに備え、
前記提供木材情報は、さらに、前記提供木質バイオマスの樹種であって複数の樹種区分のいずれかに属する樹種を含み、
前記登録画面または前記検索画面の少なくとも一方は、
前記樹種区分の指定が可能に構成されると共に、
前記樹種区分のいずれかが指定されると、指定された前記樹種区分に属する前記樹種の一覧が表示されるよう構成されることを特徴とする請求項１〜４のいずれか１項に記載の木質バイオマスの流通支援装置。
【請求項６】
前記出力情報は、さらに、
前記検索結果に含まれる前記該当提供木材情報の前記保管場所を表す保管場所マークを地図表示上に重ねて表示するためのマッピング情報と、を含むことを特徴とする請求項１〜５のいずれか１項に記載の木質バイオマスの流通支援装置。
【請求項７】
前記検索結果は、複数の前記該当提供木材情報を含み、
前記地図表示上に表示される前記保管場所マークは、前記運送見積の値の大きさの順序を示す順序マークを含むことを特徴とする請求項６に記載の木質バイオマスの流通支援装置。
【請求項８】
前記検索結果は、複数の前記該当提供木材情報を含み、
前記地図表示上に表示される前記保管場所マークは、前記運送見積の値の大きさの差異に応じた、大きさまたは色の少なくとも一方を有することを特徴とする請求項６または７に記載の木質バイオマスの流通支援装置。
【発明の詳細な説明】
【技術分野】
【０００１】
本開示は、木質バイオマスの流通を支援する流通支援装置に関する。
【背景技術】
【０００２】
従来から、木質バイオマス燃料を専焼または混焼するプラントが知られている。木質バイオマスはカーボンニュートラルという特性を有しており、地球温暖化の防止、環境負荷軽減などから、その利用の重要性が増している。木質バイオマス燃料は、間伐材など森林から直接産出される木材（原木）や、木材加工から生じる端材や木屑、建築解体材などの産業廃棄物から生産されるが、含水率等の性状のバラツキが大きいなどの性質を有する。
【０００３】
そして、このような木質バイオマス燃料の流通システムとして例えば特許文献１がある。特許文献１には、購入時期や、樹種、長さ、径、本数、曲がり具合などの要求への適合や、長期的かつ安定的な需要への適合が可能な森林資源流通支援システムが開示されている。より具体的には、データベースの在庫情報や生産計画を参照して、注文情報の森林資源に適合する在庫情報または生産計画の森林資源が存在するか否かの判断を通して、注文者の注文を確保する。また、短納期の注文があったときに、長納期の注文に割り当てた森林資源をその短期の注文に振り替え、長納期の注文には生産計画の森林資源を割り当てることにより、時間軸上で、森林資源の在庫、生産計画を柔軟に割り振り、供給する。
【０００４】
また、特許文献２には、建材などの原木の電子商取引プログラムが開示されている。具体的には、電子商取引プログラムは、クライアント端末からアクセスがあったときに、規格化された原木の等級情報を含む、該原木の樹種、所在地、径級、材長、強度、密度、該原木のＩＤ、価格、などの原木情報、及び製品の元となった原木の等級情報を含む、該製品の樹種、所在地、該規格化された原木を加工してなる製品のＩＤ、価格、製材所名、などの製品情報を検索可能な形態で記録したデータベースの検索条件を入力するための検索欄を当該クライアント端末に送信し、クライアント端末からの検索要求に応答して前記データベースを検索し、検索要求に含まれる検索条件に合致する原木情報あるいは製品情報を取得し、取得した原木情報あるいは製品情報の一覧表をクライアント端末において表示可能な形態で検索要求をしたクライアント端末に送信し、クライアント端末において表示された一覧表の中から選択された原木あるいは製品の指定に関するデータを、クライアント端末から木材集荷・在庫情報供給サーバに送信するのを可能とする情報を、検索要求をしたクライアント端末に送信し、その購入を促すための処理をコンピュータに実行させる。
【先行技術文献】
【特許文献】
【０００５】
【特許文献１】特開２０１１−１８６５８６号公報
【特許文献２】特開２００２−２５９４９４号公報
【発明の概要】
【発明が解決しようとする課題】
【０００６】
今後、木質バイオマスを燃料とするプラントの増大が見込まれる。プラントの安定運転には燃焼性の良好な燃料の安定供給が重要であるが、プラントの数が増大すると、それだけ、要求品質を満たす木質バイオマス燃料の各プラントへの安定供給に支障が生じる可能性が高まる。よって、要求品質を満たす木質バイオマス燃料の調達や、熱需要増に伴う急な調達に対応できる流通システムの構築が望まれている。他方、燃料生産者の立場からも、年間契約先以外への木質バイオマス燃料の販売など、木材拡販につながる流通システムの構築が望まれている。
【０００７】
ここで、木質バイオマス発電の発電コストの約７割は燃料費であり、この燃料費の５割を運送費が占めるというデータがある。そして、本発明者らは、各地で製造されることにより地理的に分散されるように保管される提供木質バイオマスＦの情報をデータベースなどで一元管理した場合に、木質バイオマスの被提供者（購入者などのユーザ。以下、同様。）に対して、運送距離や運送費用などの運送見積を示すことができれば、例えば発電コストの低減（抑制。以下同様。）が可能な提供元（調達先）を選択（採用）するなど、木質バイオマス（燃料）の提供元の候補を絞り込むことができ、提供元の選択をより合理的に行うことが可能になると考えた。
【０００８】
上述の事情に鑑みて、本発明の少なくとも一実施形態は、木質バイオマスの流通を促進させる木質バイオマスの流通支援装置を提供することを目的とする。
【課題を解決するための手段】
【０００９】
（１）本発明の少なくとも一実施形態に係る木質バイオマスの流通支援装置は、
木質バイオマスの流通を支援するための木質バイオマスの流通支援装置であって、
被提供者に提供するために保管されている提供木質バイオマスの保管場所を含む提供木材情報を記憶する提供木材データベースと、
前記提供木質バイオマスの運送目的地を含む検索条件を取得する検索条件取得部と、
前記提供木材データベースを前記検索条件で検索することにより、前記検索条件に該当する該当提供木材情報であって、前記保管場所および前記運送目的地に基づいて算出される運送距離または運送費用の少なくとも一方である運送見積が対応付けられた検索結果を取得するデータベース情報検索部と、
前記検索結果を含む出力情報を生成する出力情報生成部と、
前記出力情報を出力する出力部と、を備える。
【００１０】
上記（１）の構成によれば、保管場所（所在地）を含む提供木材情報を記憶する提供木材データベースを検索することによって、検索条件に該当する提供木材情報（該当提供木材情報）および、これに対応する提供木質バイオマスをその保管場所から運送目的地まで運送する運送距離または運送費用（運送見積）が、提供木材情報と共に表示装置などに出力される。よって、被提供者は、地理的に分散されている提供木質バイオマス（提供元）の選択に際して提供木材情報に加えて運送見積を考慮することが可能になる。このため、発電コストの多くを占める運送見積の値が小さい提供元を選択することにより発電コストの低減を図るなど、提供元の合理的な選択がより容易に行えるように図ることができる。また、熱需要増に伴う急な調達が必要になった場合においても、運送見積を考慮することが可能になり、これまで調達実績のない提供元からの提供の可能性も高めることができる。したがって、木質バイオマスの流通の促進を図ることができる。
【００１１】
（２）幾つかの実施形態では、上記（１）の構成において、
前記検索条件は、さらに、特定の条件に合致する前記運送見積を抽出するための運送情報抽出条件を含む。
上記（２）の構成によれば、被提供者は、所望の運送情報抽出条件を指定した提供木材データベースの検索が可能である。よって、例えば、運送目的地から所定の距離だけ離れた保管場所や、運送費用が所定値以内（所定金額以内）になる保管場所などに保管された提供木質バイオマス（提供元）に選択対象を絞り込むことができ、提供元の選択の容易化をさらに図ることができる。
【００１２】
（３）幾つかの実施形態では、上記（１）〜（２）の構成において、
前記提供木材情報は、さらに、前記提供木質バイオマスの原料由来を含み、
前記検索条件は、さらに、前記原料由来で前記提供木材データベースを検索するための条件を含む。
【００１３】
提供木質バイオマスは、例えば原木や製材側板、端材、建築解体材などの原料を加工することによって、例えばペレットや、チップ、ＰＫＳ、ＥＦＢなどに加工されて製造されるが、固定価格買取制度（ＦＩＴ）上、売電価格は、燃料の原料が何であるか（原料由来）によって大きく異なる。
上記（３）の構成によれば、被提供者は、所望の原料由来を指定した提供木材データベースの検索が可能である。よって、所望の原料由来を有する提供木質バイオマス（提供元）に選択対象を絞り込むことができ、提供元の選択をより容易にすることができる。
【００１４】
（４）幾つかの実施形態では、上記（１）〜（３）の構成において、
前記提供木材情報は、さらに、前記提供木質バイオマスの含水情報を含み、
前記検索条件は、さらに、前記提供木質バイオマスの前記含水情報および要求量で前記提供木材データベースを検索するための条件を含み、
前記検索結果は、さらに、前記該当提供木材情報の前記含水情報および前記要求量に基づいて算出される推定燃料重量を含む。
【００１５】
含水率は燃焼性能に直接的に影響する。また、提供木質バイオマスの重量が大きくとも含水率が高ければ、その分だけ燃料としての重量は軽くなるなど、提供木質バイオマスの選択を左右する指標である。
上記（４）の構成によれば、被提供者は、所望の含水情報を指定した提供木材データベースの検索が可能であると共に、含水情報および要求量（提供を受けたい提供木質バイオマスの重量などの量）に基づいて算出される推定燃料重量がさらに出力される。よって、所望の含水情報を有する提供木質バイオマス（提供元）に選択対象を絞り込むことができ、提供元の選択をより合理的に行えるように図ることができる。
【００１６】
（５）幾つかの実施形態では、上記（１）〜（４）の構成において、
前記提供木材データベースに前記提供木材情報を登録するのに用いるユーザインタフェースである登録画面を表示する登録画面表示部と、
前記検索条件取得部が前記検索条件を取得するのに用いるユーザインタフェースである検索画面を表示する検索画面表示部と、をさらに備え、
前記提供木材情報は、さらに、前記提供木質バイオマスの樹種であって複数の樹種区分のいずれかに属する樹種を含み、
前記登録画面または前記検索画面の少なくとも一方は、
前記樹種区分の指定が可能に構成されると共に、
前記樹種区分のいずれかが指定されると、指定された前記樹種区分に属する前記樹種の一覧が表示されるよう構成される。
【００１７】
例えば、樹種区分となる広葉樹と針葉樹を比較すると、針葉樹は広葉樹と比較して発熱量が高く、灰分が少ないといった性質を有する。つまり、被提供者にとって、広葉樹か針葉樹かはプラントの燃焼性能やトラブルに関係してくる要素であるため、本発明者らは、検索の際に指定できるメリットは大きいと考えた。
上記（５）の構成によれば、被提供者は、所望の樹種を指定した提供木材データベースの検索が可能である。また、複数の樹種を樹種区分ごとグループ分けした上で、指定された樹種区分に属する樹種の一覧を表示するように構成される。よって、所望の樹種である提供木質バイオマス（提供元）に選択対象を絞り込むことができ、提供元の選択をより容易にすることができる。また、被提供者による、提供木質バイオマスの樹種区分の容易な把握を可能としつつ、提供者や被提供者による樹種の指定の容易化を図ることができる。
【００１８】
（６）幾つかの実施形態では、上記（１）〜（５）の構成において、
前記出力情報は、さらに、
前記検索結果に含まれる前記該当提供木材情報の前記保管場所を表す保管場所マークを地図表示上に重ねて表示するためのマッピング情報と、を含む。
上記（６）の構成によれば、上記のマッピング情報によって、検索結果に含まれる１以上の該当提供木材情報の保管場所を、それぞれ、地図表示上に重ねて示すことができる。よって、検索条件に該当する提供木質バイオマスの保管場所を地図表示上に視覚的に示すことができ、被提供者による保管場所の把握の容易化を図ることができる。また、被提供者のクリック操作などによって保管場所マークを指定すると、指定された保管場所の情報を有する該当提供木材情報の少なくとも一部やそれに基づく情報を表示するようにすれば、被提供者による選択をより容易にすることができる。
【００１９】
（７）幾つかの実施形態では、上記（６）の構成において、
前記検索結果は、複数の前記該当提供木材情報を含み、
前記地図表示上に表示される前記保管場所マークは、前記運送見積の値の大きさの順序を示す順序マークを含む。
上記（７）の構成によれば、例えば運送距離が長い、あるいは、運送費用が高い保管場所ほど、数が大きいあるいは小さい番号（順序マーク）を表示する。これによって、被提供者は、地図表示上に表された順序マークに基づいて、運送見積の値の相対的な大小を視覚的に把握することができる。したがって、被提供者は、運送距離が短いものや運送費用が低額なものを探しやすくなるようにすることができる。
【００２０】
（８）幾つかの実施形態では、上記（６）〜（７）の構成において、
前記検索結果は、複数の前記該当提供木材情報を含み、
前記地図表示上に表示される前記保管場所マークは、前記運送見積の値の大きさの差異に応じた、大きさまたは色の少なくとも一方を有する。
上記（８）の構成によれば、例えば運送距離が長い、あるいは、運送費用が高い保管場所ほど、保管場所マークの大きさを大きくあるいは小さく表示したり、青系から赤系あるいは赤系から青系などに色を変化させたりする。これによって、被提供者は、地図表示上に表された保管場所マークの大きさや色に基づいて、運送見積の値の相対的な大小を視覚的に把握することができる。したがって、被提供者は、運送距離が短いものや運送費用が低額なものを探しやすくなるようにすることができる。
【発明の効果】
【００２１】
本発明の少なくとも一実施形態によれば、木質バイオマスの流通を促進させる木質バイオマスの流通支援装置が提供される。
【図面の簡単な説明】
【００２２】
【図１】本発明の一実施形態に係る木質バイオマスの流通支援装置を概略的に示す図である。
【図２Ａ】本発明の一実施形態に係る提供木材データベースへ提供木材情報を登録するための登録画面を示す図であり、樹種区分の選択前を示す。
【図２Ｂ】本発明の一実施形態に係る提供木材データベースへ提供木材情報を登録するための登録画面を示す図であり、樹種区分の選択後を示す。
【図２Ｃ】本発明の一実施形態に係る提供木材データベースに登録された提供木材情報を更新するための更新画面を示す図である。
【図３】本発明の一実施形態に係る検索条件を指定するための検索画面を示す図である。
【図４】（ａ）本発明の一実施形態に係る提供木材データベースが管理する木材レコードを示す図である。（ｂ）本発明の一実施形態に係る参照木材データベースが管理する過去レコードを示す図である。（ｃ）本発明の一実施形態に係る環境データベース（不図示）が管理する過去環境レコードを示す図である。
【図５】本発明の一実施形態に係る木質バイオマスの流通支援装置を概略的に示す図であり、含水情報の値の推定に関する機能ブロックを示す図である。
【図６】本発明の一実施形態に係る運送見積の値に応じて異ならせた保管場所マークを示す図であり、保管場所マークは順序マークを含む。
【図７】本発明の一実施形態に係る運送見積の値に応じて異ならせた保管場所マークを示す図であり、保管場所マークの大きさが異なる。
【図８】本発明の一実施形態に係る運送見積の値に応じて異ならせた保管場所マークを示す図であり、保管場所マークの色が異なる。
【発明を実施するための形態】
【００２３】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２４】
図１は、本発明の一実施形態に係る木質バイオマスの流通支援装置１を概略的に示す図である。図２Ａは、本発明の一実施形態に係る提供木材データベースＤｆへ提供木材情報Ｉを登録するための登録画面Ｄｒを示す図であり、樹種区分Ｂｃの選択前を示す。図２Ｂは、本発明の一実施形態に係る提供木材データベースＤｆへ提供木材情報Ｉを登録するための登録画面Ｄｒを示す図であり、樹種区分Ｂｃの選択後を示す。図２Ｃは、本発明の一実施形態に係る提供木材データベースＤｆに登録された提供木材情報Ｉを更新するための更新画面Ｄｎを示す図である。図３は、本発明の一実施形態に係る検索条件Ｑを指定するための検索画面Ｄｓを示す図である。また、図４の（ａ）は、本発明の一実施形態に係る提供木材データベースが管理する木材レコードを示す図であり、（ｂ）は、本発明の一実施形態に係る参照木材データベースＤｐが管理する過去レコードＲｐを示す図であり、（ｃ）は、本発明の一実施形態に係る環境データベースが管理する過去環境レコード（不図示）を示す図である。
【００２５】
木質バイオマスの流通支援装置１（以下、単に、流通支援装置１という。）は、木質バイオマスの流通を支援するための装置（システム）である。図１に示すように、流通支援装置１は、木質バイオマスの提供者が被提供者（以下、それぞれ単に、提供者、被提供者という。）に提供するために各地で保管する木質バイオマス（提供木質バイオマスＦ）の情報を出力装置（図１ではディスプレイ）にまとめて出力することが可能である。つまり、流通支援装置１は、被提供者に対して、各地に点在するどの保管場所Ｓ（図１の黒丸）に、どのような種類、性状の木質バイオマスがどれだけの保管量Ｋで保管されているかといった情報を提示することにより、提供者から被提供者への木質バイオマスの流通を支援する。幾つかの実施形態では、流通支援装置１による支援は、複数の提供者および被提供者が流通支援装置１の利用費（システム利用費）の支払いを前提として提供されても良い。
【００２６】
そして、図１に示すように、流通支援装置１は、提供木材データベースＤｆと、検索条件取得部２と、データベース情報検索部３と、出力情報生成部４と、出力部５と、を備える。流通支援装置１はコンピュータで構成されており、図示しないＣＰＵ（プロセッサ）や、ＲＯＭやＲＡＭといったメモリ（記憶装置）などを備えており、主記憶装置にロードされたプログラム（流通支援プログラム）の命令に従ってＣＰＵが動作（データの演算など）することで、上記の各機能部を実現する。また、流通支援装置１は、ディスプレイなどの表示装置１ｄやプリンタなどの出力装置に接続されることにより、出力装置を介して出力情報Ｉｏを被提供者などに提示する。
【００２７】
以下、流通支援装置１が備える上記の各機能部について、図１〜図４を用いてそれぞれ説明する。なお、以下の説明では、提供者は、図２Ａ〜図２Ｂに例示するような登録画面Ｄｒを介して、所有する木質バイオマスに関する情報（以下、適宜、提供木材情報Ｉ）を提供木材データベースＤｆに予め登録しておき、被提供者（例えば購入者などのユーザ）は、図３に例示するような検索画面Ｄｓを通して、入力した検索条件Ｑに合致する出力情報Ｉｏを得るものとする。
【００２８】
提供木材データベースＤｆは、被提供者に提供するために保管されている提供木質バイオマスＦの保管場所Ｓ（以下、単に、保管場所Ｓ）を含む提供木材情報Ｉを記憶するためのデータベースである。つまり、提供木材データベースＤｆは、複数の提供者がそれぞれ保有する提供木質バイオマスＦの提供木材情報Ｉを記憶することによって、地理的に分散して保管されている提供木質バイオマスＦを一元的に管理するように構成される。
【００２９】
上記の提供木材情報Ｉは、提供木質バイオマスＦに関する情報セットである。例えば、提供木材情報Ｉは、図２Ａ〜図２Ｂ（登録画面Ｄｒ）に示すように、上記の保管場所Ｓに加えて、提供木質バイオマスＦの入手日時、入手場所（住所など）、原料由来Ｂｄ、燃料種類Ｂｔ（燃料タイプ）、その保管場所Ｓでの保管量Ｋ（例えば重量［ｔ：トン］）、樹種Ｂｋ、含水情報Ｈの推定値または測定値およびその測定日時（推定対象時刻）、保管方法、設定価格［円／ｔ］などの情報の少なくとも１つを含んでいても良い。ここで、原料由来Ｂｄは、提供木質バイオマスＦが例えば原木や製材側板、端材、建築解体材などのどのような原料から製造されたかを示す情報である。燃料種類Ｂｔは、例えばペレットや、チップ、ＰＫＳ（Palm Kernel Shell）、ＥＦＢ(Empty Fruit Bunches)といった燃料タイプを示す情報である。樹種Ｂｋは、針葉樹や広葉樹などの原木の種類を示す情報である。保管方法は、屋内保管や、屋外保管、室温管理された倉庫保管などの保管環境を示す情報である。なお、図１〜図４に示す実施形態では、提供木材情報Ｉは、上記の全ての情報を有している。
【００３０】
よって、提供木材データベースＤｆに記憶される各レコード（以下、適宜、木材レコードＲｆ）はこれらの情報をそれぞれ記憶するための情報フィールドを有する。また、１以上の提供者が少なくとも１種類の提供木質バイオマスＦを登録することにより、登録された各々の提供木質バイオマスＦに対応した木材レコードＲｆが提供木材データベースＤｆに記憶される。そして、このような登録が複数回行われることで、提供木材データベースＤｆには複数の木材レコードＲｆが蓄積されていく。なお、各木材レコードＲｆには、それぞれ、レコードを一意に識別可能な木材識別番号が付与されて管理される（図４（ａ）参照）。
【００３１】
図１〜図４に示す実施形態では、流通支援装置１は、提供木材データベースＤｆに提供木材情報Ｉを登録するのに用いるユーザインタフェースである登録画面Ｄｒ（図２Ａ〜図２Ｂ）を表示する登録画面表示部１１を、さらに備えている。つまり、登録画面表示部１１は、登録画面Ｄｒを表示装置１ｄに表示するための情報を生成すると共に、表示装置１ｄに出力することによって、登録画面Ｄｒを表示装置１ｄの画面に表示する。そして、提供者などのユーザは、所有する提供木質バイオマスＦについての提供木材情報Ｉを図２Ａ〜図２Ｂに示すような登録画面Ｄｒの表示内容に従って入力した後、登録ボタンをクリックする。この操作がなされると、例えば必須項目への情報入力の有無などといった入力チェックがなされるなどした後に入力内容が登録命令と共に提供木材データベースＤｆに送られ、入力された提供木材情報Ｉに対応する木材レコードＲｆが提供木材データベースＤｆに記憶（登録）されるようになっている。
【００３２】
また、流通支援装置１は、提供木材データベースＤｆに登録されている提供木材情報Ｉを更新登録するのに用いるユーザインタフェースである更新画面Ｄｎ（図２Ｃ）を表示する更新画面表示部（不図示）を、さらに備えていても良い。更新画面Ｄｎ（図２Ｃ参照）にアクセスし、更新画面上で、上述した木材識別番号を指定（入力）および更新内容を入力した後、更新ボタン（図２ＣのＤＢ更新）をクリックすることにより、木材識別番号に対応する提供木質バイオマスＦの提供木材情報Ｉの更新登録が可能であっても良い。例えば、測定した含水情報Ｈの値を含む提供木材情報Ｉを新規に登録した後、ある期間経過後に再度測定した含水情報Ｈの値などを登録することが可能になり、後述する過去レコードＲｐに含水推移情報Ｈｔ（後述）を記憶することなどが可能になる。
【００３３】
なお、図１に示す実施形態では、提供木材データベースＤｆは流通支援装置１が備える記憶装置に記憶されている。ただし、本実施形態に本発明は限定されず、他の幾つかの実施形態では、提供木材データベースＤｆは、流通支援装置１と通信可能に接続された他のコンピュータ装置やファイル装置に記憶されていても良い。
【００３４】
検索条件取得部２は、提供木質バイオマスＦの運送目的地Ｄを含む検索条件Ｑを取得する。図１〜図４に示す実施形態では、流通支援装置１は、検索条件取得部２が検索条件Ｑを取得するのに用いるユーザインタフェースである検索画面Ｄｓ（図３）を表示する検索画面表示部１２を、さらに備えている。つまり、検索画面表示部１２は、検索画面Ｄｓを表示装置１ｄに表示するための情報を生成すると共に、表示装置１ｄに出力することによって、検索画面Ｄｓを表示装置１ｄの画面に表示する。そして、被提供者などのユーザは、検索画面Ｄｓに含まれる複数の条件入力欄のうちの任意の欄に所望の条件を入力した後、検索ボタンをクリックする。この操作がなされると、検索画面Ｄｓで指定された検索条件Ｑが検索条件取得部２に入力されるようになっている。なお、検索条件Ｑは運送目的地Ｄ以外を含んでいなくても良く、この場合には検索画面Ｄｓの表示はしなくても良い。また、検索条件Ｑを保存可能に構成すれば、後に再利用が可能となるので、所望の提供木質バイオマスＦの検索を容易に行うことが可能となる。
【００３５】
図３に示す実施形態では、検索画面Ｄｓには、購入量（購入希望量。後述する要求量Ｍｒ）、要求含水情報Ｈｄ、購入予算、分割発注の可否をそれぞれ指定するための購入情報欄と、納期、運送目的地Ｄ（住所）、運送距離Ｌの上限値をそれぞれ指定するための運送情報欄と、被提供者側の木質バイオマス利用プラントが対応可能な燃料種類Ｂｔ、原料由来Ｂｄ、樹種Ｂｋ、要求燃焼性能をそれぞれ指定するための燃料詳細情報欄とが設けられている。なお、上記の分割発注の有無は、購入量を入手するために、複数の提供者に分割して発注しても良いか否かを指定するもので、本実施形態では、購入希望量を可能な限り満足させるような組合せの提示も可能となっている。
【００３６】
データベース情報検索部３は、提供木材データベースＤｆを、検索条件取得部２によって取得された検索条件Ｑで検索することにより、検索条件Ｑに該当する該当提供木材情報Ｒｈであって、保管場所Ｓおよび運送目的地Ｄに基づいて算出される運送距離Ｌまたは運送費用Ｃの少なくとも一方である運送見積Ｔが対応付けられた検索結果Ｅを取得する。つまり、データベース情報検索部３は、提供木材データベースＤｆから取得可能な提供木材情報Ｉと、この提供木材情報Ｉに含まれる保管場所Ｓおよび別途入力される運送目的地Ｄに基づいて求めることが可能な運送見積Ｔと、を含む情報を検索結果Ｅとする。幾つかの実施形態では、図３に示すように、運送目的地Ｄは、検索画面Ｄｓ上で入力されるようになっていても良い。他の幾つかの実施形態では、データベース情報検索部３は、上述したようにユーザが予め登録している運送目的地Ｄを取得しても良い。その他の幾つかの実施形態では、上記の実施形態を組み合わせても良い。具体的には、検索画面Ｄｓを使用する前段階で（例えばユーザ登録など）、被提供者などのユーザが運送目的地Ｄを別途登録するようになっており、データベース情報検索部３は記憶されている運送目的地Ｄを初期値として検索画面Ｄｓに編集可能に出力しても良い。
【００３７】
また、運送距離Ｌは、保管場所Ｓおよび運送目的地Ｄの各々の例えば地球上の位置を示す経緯度（経度、緯度）などの位置情報に基づいて算出しても良い。図１〜図４に示す実施形態では、運送距離Ｌは、保管場所Ｓおよび運送目的地Ｄに対応する２地点の直線距離で算出している。他の幾つかの実施形態では、運送距離Ｌは、上記の２地点の位置情報および道路地図情報に基づいて想定される２地点間を結ぶルートの距離であっても良い。なお、提供木材データベースＤｆには、保管場所Ｓおよび運送目的地Ｄの所在地（住所）が登録されていても良い。あるいは、登録画面Ｄｒに入力された住所を、提供木材データベースＤｆに記憶する前段階で経緯度に変換する距離変換テーブルを用いて経緯度に変換するなどによって、位置情報が登録されていても良い。
【００３８】
他方、運送費用Ｃについては、運送費用Ｃが運送距離Ｌに応じ決められている場合には、運送距離Ｌから運送費用Ｃを求める運送費用算出テーブルを用いて、上述したように求められる運送距離Ｌから運送費用Ｃを算出しても良い。図１〜図４に示す実施形態では、運送距離Ｌ（直線距離）が５０ｋｍ以内では重量当たりの費用は一律に設定されているが、５０ｋｍを超えた分については、その超えた分の距離に応じた費用が追加されるようになっている。具体的には、運送距離Ｌ［ｋｍ］がａとすると、ａ≦５０ｋｍの場合には運送費用Ｃはｃ［円］になる。また、ａ＞５０ｋｍの場合には運送費用Ｃ［円］は、ｃ（円）＋ｄ［円／ｋｍ］×（ａ−５０）［ｋｍ］になる。このような算出式も、例えば運送費用Ｃに並べるなどして画面に表示されても良い。
【００３９】
なお、上述した、提供木材データベースＤｆを検索条件Ｑで検索することは、具体的には、検索条件Ｑから運送目的地Ｄを除いた条件をＳＱＬなどのデータベース操作言語で記述することであっても良い。この場合には、データベース情報検索部３は、提供木材データベースＤｆから該当提供木材情報Ｒｈを取得した後、取得された該当提供木材情報Ｒｈ毎に、その保管場所Ｓと運送目的地Ｄとに基づいて運送見積Ｔを算出して対応付けることにより、検索結果Ｅを取得することになる。あるいは、データベース操作言語に保管場所Ｓと運送目的地Ｄとの演算方法を指定することであっても良く、この場合であっても、該当提供木材情報Ｒｈ毎に運送見積Ｔを対応付けて取得できる。
【００４０】
出力情報生成部４は、データベース情報検索部３によって取得された検索結果Ｅを含む出力情報Ｉｏを生成する。図１に示すように、出力情報生成部４は、データベース情報検索部３に接続されており、データベース情報検索部３から検索結果Ｅを受信し、出力情報Ｉｏを生成するようになっている。図１に示す実施形態では、検索結果Ｅに含まれる保管場所Ｓが、それぞれ、地図表示Ｍに重ねて示されるような出力情報Ｉｏを生成している（後述する図６〜図８も同様）。つまり、出力情報Ｉｏは、検索結果Ｅに加えて、さらに、検索結果Ｅに含まれる該当提供木材情報Ｒｈの保管場所Ｓを表す保管場所マークＰ（図１では黒丸）を地図表示Ｍ上に重ねて表示するためのマッピング情報と、を含む。マッピング情報によって、検索結果Ｅに含まれる１以上の該当提供木材情報Ｒｈの保管場所Ｓを、それぞれ、地図表示Ｍ上に重ねて示すことができる。よって、検索条件Ｑに該当する提供木質バイオマスＦの保管場所Ｓ（所在地）を地図表示Ｍ上に視覚的に示すことができ、被提供者による保管場所の把握の容易化を図ることができる。
【００４１】
また、図１に示すように、運送目的地Ｄを表す運送目的地マークＰｃも地図表示上に重ねて表示するためのマッピング情報を含んでいても良く、これによって、運送目的地Ｄも地図表示Ｍに重ねて示されるようになる（後述する図６〜図８も同様）。ただし、本実施形態に本発明は限定されない。他の幾つかの実施形態では、出力情報生成部４は、一覧としてリスト表示されるような出力情報Ｉｏを生成しても良い。
【００４２】
出力部５は、出力情報生成部４が生成した出力情報Ｉｏを出力する。図１に示す実施形態では、出力部５は、流通支援装置１に接続された表示装置１ｄに出力情報Ｉｏを出力する。他の幾つかの実施形態では、出力部５は、流通支援装置１に接続されたプリンタや、通信装置（ハブやルータ）などに出力情報Ｉｏを出力しても良い（後述する図５も同様）。
【００４３】
上述した構成を備える流通支援装置１は、例えば、図１に示すような地図表示Ｍを検索結果画面に表示する（後述する図６〜図８も同様）。図１に示す実施形態では、検索条件Ｑに該当した提供木質バイオマスＦの保管場所Ｓが地図表示Ｍ上において黒丸（保管場所マークＰ）で示されており、複数の該当提供木材情報Ｒｈがデータベース情報検索部３によって取得されたことを示している。また、この保管場所Ｓを地図表示Ｍ上でクリックやポイントなどによって指定すると、クリックされた保管場所Ｓを有する該当提供木材情報Ｒｈが読み出されることによって、そのうちの少なくとも一部の情報が、ポップアップ画面Ｍｐ上で表示されるようになっている。
【００４４】
そして、本実施形態では、このポップアップ画面Ｍｐに、提供木質バイオマスＦ毎の運送距離Ｌあるいは運送費用Ｃの少なくとも一方（運送見積Ｔ）を表示するようにしている。図１〜図４に示す実施形態では、運送距離Ｌあるいは運送費用Ｃの両方を表示するようにしている。これは、木質バイオマス発電の発電コストの約７割は燃料費であり、この燃料費の５割を運送費が占めるというデータがあり、本発明者らは、木質バイオマスの被提供者に対して、運送距離Ｌや運送費用Ｃなどの運送見積Ｔを示すことができれば、例えば発電コストの低減（抑制）が可能な提供元（調達先）を選択（採用）するなど、提供木質バイオマスＦの候補を絞り込むことができ、提供元の選択をより合理的に行うことが可能になると考えたことによる。
【００４５】
なお、図１に示す実施形態では、ポップアップ画面Ｍｐ上には、運送見積Ｔに加えて、提供木質バイオマスＦの樹種Ｂｋと、保管量Ｋと、含水情報Ｈと、燃料種類Ｂｔと、単価設定と、運送費用Ｃと、がポップアップ画面Ｍｐ上で示されるようになっているが、提供木質バイオマスＦの選択、購入の判断材料となる情報などの任意の情報を表示すれば良い。また、図１に示す実施形態では、流通支援装置１は発注機能を備えており、ポップアップ画面Ｍｐ上の商品コード入力欄に、所望の商品コードおよび購入量を入力し、発注ボタンをクリック操作することにより発注処理が行わるようになっている。これによって、所望の商品として検索された提供木質バイオマスＦについて、発注処理を容易に行うことを可能にしている。
【００４６】
上記の構成によれば、保管場所Ｓ（所在地）を含む提供木材情報Ｉを記憶する提供木材データベースＤｆを検索することによって、検索条件Ｑに該当する提供木材情報Ｉ（該当提供木材情報Ｒｈ）および、これに対応する提供木質バイオマスＦをその保管場所Ｓから運送目的地Ｄまで運送する運送距離Ｌまたは運送費用Ｃ（運送見積Ｔ）が、提供木材情報Ｉと共に表示装置１ｄなどに出力される。よって、被提供者（ユーザ）は、地理的に分散されている提供木質バイオマス（提供元）の選択に際して提供木材情報Ｉに加えて運送見積Ｔを考慮することが可能になる。このため、発電コストの多くを占める運送見積の値が小さい提供元を選択（採用）することにより発電コストの低減（抑制）を図るなど、提供元の合理的な選択がより容易に行えるように図ることができる。また、熱需要増に伴う急な調達が必要になった場合においても、運送見積Ｔを考慮することによって提供元をより合理的に選択することが可能になり、これまで調達実績のない提供元からの提供の可能性も高めることができる。したがって、木質バイオマスの流通の促進を図ることができる。
【００４７】
次に、上述した検索条件Ｑに関する幾つかの実施形態について、説明する。
幾つかの実施形態では、図３に示すように、検索条件Ｑは、さらに、特定の条件に合致する運送見積Ｔを抽出するための運送情報抽出条件Ｑｔを含む。図３に示す実施形態では、運送情報抽出条件Ｑｔは、運送目的地Ｄを中心とした運送距離Ｌの上限値を指定するための条件となっている。そして、図１〜図４に示す実施形態では、上述したデータベース情報検索部３は、運送目的地Ｄからの運送距離Ｌが、指定された上限値以内の距離にある保管場所Ｓに保管されている提供木質バイオマスＦの情報のみを含む検索結果Ｅを取得するように構成されている。
【００４８】
ただし、本実施形態に本発明は限定されない。他の幾つかの実施形態では、データベース情報検索部３は、運送情報抽出条件Ｑｔによる取捨選択を行っていない検索結果Ｅを取得すると共に、地図表示Ｍ上で運送情報抽出条件Ｑｔによる絞り込み結果を示しても良い。例えば、運送目的地Ｄを中心に運送距離Ｌの上限値を半径とした円を描き、その円内の保管場所Ｓのみを表示したり、円外よりも円内の保管場所Ｓの表示を大きくしたり、または、円外と円内とで保管場所Ｓの表示の色を変えるなどすることによって、上記の絞り込み結果を示しても良い。これによっても、希望する調達範囲の提供木材情報Ｉを被提供者が一目で把握することが可能となる。
【００４９】
上記の構成によれば、被提供者は、所望の運送情報抽出条件Ｑｔを指定した提供木材データベースＤｆの検索が可能である。よって、例えば、運送目的地Ｄから所定の距離だけ離れた保管場所Ｓや、運送費用が所定値以内（所定金額以内）になる保管場所などに保管された提供木質バイオマスＦ（提供元）に選択対象を絞り込むことができ、提供元の選択の容易化をさらに図ることができる。
【００５０】
幾つかの実施形態では、図２Ａ〜図２Ｂに示すように、上述した提供木材情報Ｉは、さらに、提供木質バイオマスＦの原料由来Ｂｄを含む。また、図３に示すように、上述した検索条件Ｑは、さらに、原料由来Ｂｄで提供木材データベースＤｆを検索するための条件（原料由来絞込条件Ｑｂ）を含む。提供木質バイオマスＦは、例えば原木や製材側板、端材、建築解体材などの原料を加工することによって、例えばペレットや、チップ、ＰＫＳ、ＥＦＢなどに加工されて製造されるが、固定価格買取制度（ＦＩＴ）上、売電価格は、燃料の原料が何であるか（原料由来Ｂｄ）によって大きく異なる。よって、原料由来絞込条件Ｑｂにより、ユーザの所望の原料由来Ｂｄを有する提供木材情報Ｉを抽出することができる。図２Ａ〜図２Ｂに示す登録画面Ｄｒでは、列挙された原料由来Ｂｄの種類のいずれかを指定することが可能になっている。他方、図３に示す検索画面Ｄｓでは、列挙された原料由来Ｂｄの種類毎に設けられているチェックボックスにより、所望する１以上の原料由来Ｂｄを指定することが可能になっている。
【００５１】
上記の構成によれば、被提供者は、所望の原料由来Ｂｄを指定した提供木材データベースＤｆの検索が可能である。よって、所望の原料由来Ｂｄを有する提供木材情（提供元）提供木質バイオマスＦ（提供元）に選択対象を絞り込むことができ、提供元の選択をより容易にすることができる。
【００５２】
幾つかの実施形態では、図２Ａ〜図２Ｂに示すように、上述した提供木材情報Ｉは、さらに、提供木質バイオマスＦの含水情報Ｈを含む。また、図３に示すように、上述した検索条件Ｑは、さらに、提供木質バイオマスＦの含水情報Ｈで提供木材データベースＤｆを検索するための条件（含水情報絞込条件Ｑｈ）を含む。つまり、含水情報絞込条件Ｑｈに要求含水率などの要求含水情報Ｈｄの値を設定（入力）することにより、要求含水情報Ｈｄを満たす含水情報Ｈの値を有する提供木材情報Ｉを抽出することが可能に構成される。また、図３に示すように、上述した検索条件Ｑは、提供木質バイオマスＦの要求量Ｍｒで提供木材データベースＤｆを検索するための条件（保管量絞込条件Ｑｍ）を含んでいても良い。つまり、保管量絞込条件Ｑｍに要求量Ｍｒを設定することにより、要求量Ｍｒを満たす保管量Ｋを有する提供木材情報Ｉを抽出することが可能に構成される。
【００５３】
そして、データベース情報検索部３が取得する検索結果Ｅは、さらに、該当提供木材情報Ｒｈの含水情報Ｈおよび要求量Ｍｒに基づいて算出される推定燃料重量を含んでいても良い。つまり、データベース情報検索部３は、検索条件Ｑに該当する該当提供木材情報Ｒｈ毎に、含水情報Ｈと要求量Ｍｒとに基づいて推定燃料重量を算出する。例えば、含水情報Ｈが単位重量当たりの水分の割合を示す含水率、要求量Ｍｒが重量であれば、推定燃料重量は、Ｍｒ×（１−含水率）で算出することができる。この推定燃料重量は、上述したポップアップ画面Ｍｐに表示されても良く、提供木質バイオマスＦ毎（商品コード毎）に示されても良い。
【００５４】
ここで、提供木材データベースＤｆに記憶されている上記の含水情報Ｈは、実測値であっても良いし、推定値であっても良い。例えば、含水情報Ｈが推定値である場合について、図５を用いて説明する。図５は、本発明の一実施形態に係る木質バイオマスの流通支援装置１を概略的に示す図であり、含水情報Ｈの値の推定に関する機能ブロックを示す図である。図５に示すように、過去に含水情報Ｈが測定された木質バイオマス（参照木質バイオマス）についての燃料種類Ｂｔおよび樹種Ｂｋを含む木材情報Ｉｂ、保管方法を含む保管情報Ｉｓ、および含水情報Ｈの測定値の経時的な推移である含水推移情報Ｈｔを対応づけて格納する参照木材データベースＤｐを用いて、含水情報Ｈを推定しても良い。換言すれば、含水推移情報Ｈｔは、含水率などの含水情報Ｈの測定結果およびその測定時刻のセットの複数で構成される情報であり、図４（ｂ）では、過去レコードＲｐがそのための情報フィールドを有する。この参照木材データベースＤｐには、上述した木材レコードＲｆのうちの少なくとも一部の情報フィールドの内容が、コピーされるなどによって、記憶（蓄積）されても良い。
【００５５】
より詳細には、図５に示すように、流通支援装置１は、上記の参照木材データベースＤｐと、上述した検索画面Ｄｓなどを通してユーザから入力される提供木質バイオマスＦの木材情報Ｉｂおよび保管情報Ｉｓを取得する推定対象情報取得部２１と、提供木質バイオマスＦの木材情報Ｉｂおよび保管情報Ｉｓと参照木材データベースＤｐに格納されている木材情報Ｉｂおよび保管情報Ｉｓとの比較に基づいて、参照木材データベースＤｐに格納されている含水推移情報Ｈｔを参照含水推移情報Ｈｒとして取得する参照含水推移取得部２２と、参照含水推移情報Ｈｒに基づいて、推定対象時刻における提供木質バイオマスＦの含水情報Ｈの推定値である推定含水情報Ｈｅを算出する含水情報推定部２３と、を備える。そして、本実施形態では、上記の出力情報生成部４は、さらに、提供木質バイオマスＦの木材情報Ｉｂと推定対象時刻における推定含水情報Ｈｅとを含めて出力情報Ｉｏを生成する。なお、上記の推定対象時刻は、被提供者が検索したタイミングなどの推定を実行する時刻（現在時刻）であっても良いし、検索画面（図３）などに推定した時刻を入力する欄（不図示）を設けてその欄で入力された時刻であっても良い。こうして得られた推定含水情報Ｈｅは、例えば、上述したポップアップ画面Ｍｐに表示されても良く、例えば図１に表示されている含水情報Ｈが推定値になる。
【００５６】
より具体的には、上記の含水情報推定部２３は、参照含水推移取得部２２によって取得された１または複数の過去レコードＲｐの各々に含まれる参照含水推移情報Ｈｒに基づいて含水情報Ｈの値の低下速度を算出する低下速度算出部（不図示）と、推定対象時刻よりも所定時間だけ前の推定起点時刻における含水情報Ｈである起点含水情報を取得する起点含水情報取得部（不図示）と、起点含水情報と低下速度とに基づいて、推定対象時刻における推定含水情報Ｈｅを算出する推定実行部（不図示）と、を有していても良い。つまり、提供木質バイオマスＦの木材情報Ｉｂおよび保管情報Ｉｓに基づいて参照木材データベースＤｐから取得された参照木質バイオマスの参照含水推移情報Ｈｒ（１または複数）を対象に、例えば回帰分析を行うことにより低下速度を算出すると共に、測定または推定などにより得られる起点含水情報から含水情報Ｈの値（含水率など）が低下速度で低下するものとして、推定対象時刻における推定含水情報Ｈｅを算出する。
【００５７】
また、上記の含水情報Ｈの推定にあたって、上記の木材情報Ｉｂに、さらに、提供木質バイオマスＦの入手場所を含めても良く、この場合には、参照含水推移取得部２２は、入手場所も考慮して、参照含水推移情報Ｈｒを取得する。これによって、提供木質バイオマスＦの伐採地など入手場所がさらに類似した参照木質バイオマスの上記の参照含水推移取得部２２による取得が可能となる。木質バイオマスは同じ樹種Ｂｋでも生育地域ごとに比重が異なるなど、性質に地域差があるため、より性質の近い参照木質バイオマスを参照することで、より精度の高い含水情報の推定が可能となる。
【００５８】
また、流通支援装置１は、提供木質バイオマスＦが保管されている保管場所Ｓにおける過去環境情報（図４（ｃ）の過去環境レコードＲｗを参照）を記憶する環境データベース（不図示）と、保管場所Ｓにおける推定起点時刻から推定対象時刻までの過去環境情報を環境データベースから取得する過去環境情報取得部（不図示）と、をさらに備えていても良い。この場合、参照木材データベースＤｐは、さらに、参照木質バイオマスの含水情報Ｈの測定時の環境情報を含水推移情報に対応づけて記憶しており、参照含水推移取得部は、過去環境情報取得部によって取得された保管場所Ｓにおける過去環境情報、木材情報Ｉｂおよび保管情報Ｉｓと、参照木材データベースＤｐに格納されている環境情報、木材情報Ｉｂおよび保管情報Ｉｓとの比較に基づいて、参照木材データベースＤｐに格納されている参照木質バイオマスの含水推移情報Ｈｔを前記参照木材データベースＤｐから取得する。つまり、含水情報Ｈの測定時の環境情報は木質バイオマスの含水率に影響を与えるところ、参照含水推移取得部２２は、木材情報Ｉｂおよび保管情報Ｉｓに加え、さらに過去環境情報をも考慮して、参照木材データベースＤｐから参照含水推移情報Ｈｒを取得する。これによって、提供木質バイオマスＦの含水情報Ｈを推定するのにより適切な含水推移情報Ｈｔを参照木材データベースＤｐから取得できるので、提供木質バイオマスＦの含水情報Ｈの推定精度を高めることができる。
【００５９】
上記の構成によれば、被提供者は、所望の含水情報Ｈを指定した提供木材データベースＤｆの検索が可能であると共に、含水情報Ｈおよび要求量Ｍｒ（提供を受けたい重量などの量）に基づいて算出される推定燃料重量が、さらに出力される。含水情報Ｈは例えば含水率であり、燃焼性能に直接的に影響する。また、提供木質バイオマスＦの重量が大きくとも含水率が高ければ、その分だけ燃料としての重量は軽くなるなど、提供木質バイオマスＦの選択を左右する指標である。よって、所望の含水情報Ｈを有する提供木質バイオマスＦ（提供元）に選択対象を絞り込むことができ、提供元の選択をより合理的に行えるように図ることができる。
【００６０】
次に、画面表示に関する幾つかの実施形態について説明する。
幾つかの実施形態では、上述した登録画面Ｄｒ（図２Ａ〜図２Ｂ）または検索画面Ｄｓ（図３）の少なくとも一方は、樹種区分Ｂｃの一覧からの指定が可能に構成されると共に、樹種区分Ｂｃのいずれかが指定されると、指定された樹種区分Ｂｃに属する樹種Ｂｋの一覧Ｂｌが表示されるよう構成される（図２Ａ〜図２Ｂ参照）。例えば、図２Ａでは、登録画面Ｄｒに樹種区分Ｂｃが選択されていないが、樹種区分Ｂｃにおける広葉樹が選択されると、図２Ｂに示すように、樹種区分Ｂｃの一覧の下部に、選択された広葉樹に分類される樹種Ｂｋ（アカマツ、クロマツ、ヒノキなど）の一覧Ｂｌが表示されるように構成されている。この樹種Ｂｋの一覧Ｂｌは、表示されていなかった情報が樹種区分Ｂｃのクリックやポイントにより表示されるように構成されれば良く、ドロップダウン形式やポップアップ形式などの表示形式など表示形式は問わない。
【００６１】
例えば、樹種区分Ｂｃとなる広葉樹と針葉樹を比較すると、針葉樹は広葉樹と比較して発熱量が高く、灰分が少ないといった性質を有する。つまり、被提供者にとって、広葉樹か針葉樹かはプラントの燃焼性能やトラブルに関係してくる要素であるため、本発明者らは、検索の際に指定できるメリットは大きいと考えた。
【００６２】
また、登録画面Ｄｒが上述したように構成されれば、樹種区分Ｂｃと樹種Ｂｋとの関係を間違って登録することを回避できる。また、登録画面Ｄｒや検索画面が上述したように構成されれば、不要な樹種区分Ｂｃに属する複数の樹種Ｂｋが表示されないので情報の入力の容易化を図れると共に、複数の樹種Ｂｋを表示するのに必要な表示スペースを小さくすることができ、見やすい表示にすることが可能になる。
【００６３】
上記の構成によれば、被提供者は、所望の樹種Ｂｋを指定した提供木材データベースＤｆの検索が可能である。また、複数の樹種Ｂｋを樹種区分Ｂｃごとグループ分けした上で、指定された樹種区分Ｂｃに属する樹種Ｂｋの一覧Ｂｌを表示するように構成される。よって、所望の樹種Ｂｋである提供木質バイオマスＦ（提供元）に選択対象を絞り込むことができ、提供元の選択をより容易にすることができる。また、被提供者による、提供木質バイオマスＦの樹種区分の容易な把握を可能としつつ、提供者や被提供者による樹種Ｂｋの指定の容易化を図ることができる。
【００６４】
また、データベース情報検索部３によって取得される検索結果Ｅが複数の該当提供木材情報Ｒｈを含む場合には、運送見積Ｔの値に基づいて、複数の保管場所マークＰの表示を互いに異ならせても良い。以下に具体的に実施形態について、図６〜図８を用いて説明する。図６は、本発明の一実施形態に係る運送見積Ｔの値に応じて異ならせた保管場所マークＰを示す図であり、保管場所マークＰは順序マークＰｉを含む。また、図７は、本発明の一実施形態に係る運送見積Ｔの値に応じて異ならせた保管場所マークＰを示す図であり、保管場所マークＰの大きさが異なる。また、図８は、本発明の一実施形態に係る運送見積の値に応じて異ならせた保管場所マークＰを示す図であり、保管場所マークＰの色が異なる。
【００６５】
具体的には、幾つかの実施形態では、図６に示すように、地図表示Ｍ上に表示される保管場所マークＰは、運送見積Ｔの値の大きさの順序を示す順序マークをＰｉ含んでいていても良い。図６に示す実施形態では、保管場所マークＰは、保管場所Ｓを示す丸記号と、その丸記号の横に表示される、運送費用Ｃまたは運送距離Ｌが小さいほど小さな値になる順序マークＰｉとで構成されている。ただし、本実施形態に本発明は限定されず、他の幾つかの実施形態では、順序マークＰｉは、運送距離Ｌまたは運送費用Ｃが小さいほど大きな値になっていても良い。また、順序マークＰｉは保管場所Ｓを示す記号（図６では丸）と重ねた形で表示しても良い。よって、この順序マークＰｉで示される数を確認することで、相対的な運送見積Ｔの大小が分かるようになっている。
【００６６】
上記の構成によれば、例えば運送距離Ｌが長い、あるいは、運送費用Ｃが高い保管場所Ｓほど、数が大きいあるいは小さい番号（順序マークＰｉ）を表示する。これによって、被提供者は、地図表示Ｍ上に表された順序マークＰｉに基づいて、運送見積Ｔの値の相対的な大小を視覚的に把握することができる。したがって、被提供者は、運送距離Ｌが短いものや運送費用Ｃが低額なものを探しやすくなるようにすることができる。
【００６７】
他の幾つかの実施形態では、図７〜図８に示すように、地図表示Ｍ上に表示される保管場所マークＰは、運送見積Ｔの値の大きさの差異に応じた、大きさまたは色の少なくとも一方を有する。図７に示す実施形態では、保管場所マークＰは、保管場所Ｓを示す丸記号で構成されており、丸記号の大きさが、運送距離Ｌまたは運送費用Ｃの値が小さいほど小さくなるように表示されるようになっている。ただし、本実施形態に本発明は限定されない。他の幾つかの実施形態では、保管場所マークＰの大きさが、運送距離Ｌまたは運送費用Ｃの値が小さいほど大きく表示されても良い。
【００６８】
また、図８に示すように、運送距離Ｌまたは運送費用Ｃの値が小さいほど目立つような色にするなど、色を変えても良い。例えば、運送距離Ｌまたは運送費用Ｃの値が小さいほど赤系（暖色系）に近づけ、その値が大きいほど青系に近づけるなどしても良い。あるいは、運送距離Ｌまたは運送費用Ｃの値に応じて色の濃淡を変えても良い。これによって、濃淡も含む色の違いによって、運送見積Ｔの値の相対的な違いを表すことができる。なお、上述した順序マークＰｉに関する実施形態も含めて、保管場所マークＰに関する２つ以上の実施形態を組み合わせても良い。
【００６９】
上記の構成によれば、例えば運送距離Ｌが長い、あるいは、運送費用Ｃが高い保管場所Ｓほど、保管場所マークＰの大きさを大きくあるいは小さく表示したり、青系から赤系（暖色系）あるいは赤系から青系などに色を変化させたりする。これによって、被提供者は、地図表示Ｍ上に表された保管場所マークＰの大きさや色に基づいて、運送見積Ｔの値の相対的な大小を視覚的に把握することができる。したがって、被提供者は、運送距離Ｌが短いものや運送費用Ｃが低額なものを探しやすくなるようにすることができる。
【００７０】
本発明は上述した実施形態に限定されることはなく、上述した実施形態に変形を加えた形態や、これらの形態を適宜組み合わせた形態も含む。
【符号の説明】
【００７１】
１      流通支援装置
１ｄ    表示装置
１１    登録画面表示部
１２    検索画面表示部
２      検索条件取得部
２１    推定対象情報取得部
２２    参照含水推移取得部
２３    含水情報推定部
３      データベース情報検索部
４      出力情報生成部
５      出力部
Ｍ      地図表示
Ｍｐ    ポップアップ画面
Ｄｒ    登録画面
Ｄｓ    検索画面
Ｄｎ    更新画面
Ｐ      保管場所マーク
Ｐｃ    運送目的地マーク
Ｐｉ    順序マーク
Ｆ      提供木質バイオマス
Ｄｆ    提供木材データベース
Ｒｆ    木材レコード
Ｒｐ    過去レコード
Ｒｗ    過去環境レコード
Ｉ      提供木材情報
Ｉｂ    木材情報
Ｉｓ    保管情報
Ｒｈ    該当提供木材情報
Ｔ      運送見積
Ｃ      運送費用（運送見積）
Ｌ      運送距離（運送見積）
Ｄ      運送目的地
Ｅ      検索結果
Ｉｏ    出力情報
Ｓ      保管場所
Ｑ      検索条件
Ｑｂ    原料由来絞込条件
Ｑｈ    含水情報絞込条件
Ｑｍ    保管量絞込条件
Ｑｔ    運送情報抽出条件
Ｂｃ    樹種区分
Ｂｄ    原料由来
Ｂｋ    樹種
Ｂｌ    一覧
Ｂｔ    燃料種類
Ｈ      含水情報
Ｈｄ    要求含水情報
Ｈｔ    含水推移情報
Ｈｒ    参照含水推移情報
Ｈｅ    推定含水情報
Ｋ      保管量
Ｍｒ    要求量
【図１】
2019091112.tif 000003
【図２Ａ】
2019091112.tif 000004
【図２Ｂ】
2019091112.tif 000005
【図２Ｃ】
2019091112.tif 000006
【図３】
2019091112.tif 000007
【図４】
2019091112.tif 000008
【図５】
2019091112.tif 000009
【図６】
2019091112.tif 000010
【図７】
2019091112.tif 000011
【図８】
2019091112.tif 000012